(57)【特許請求の範囲】
【請求項１】
建築物に据付される支持部材から垂下される複数本の引張コードを保持するコードイコライザーであって、前記コードイコライザーは、前記複数本の引張コードを略平行にした状態で前記コードイコライザーに下向きの荷重が加わったときに前記複数本の引張コードを保持し、かつ前記複数本の引張コードを拡開させる方向に前記引張コードに荷重が加わったときに前記コードイコライザーに弾性変形を生じさせるか又は前記コードイコライザーを分割させることにより前記複数本の引張コードと前記コードイコライザーによって形成されるループ構造を解除するか又はループ構造の長さを増大させるように構成され、
前記コードイコライザーは、中心部材と、前記中心部材に係合する１又は複数の係合部材とを備え、
前記係合部材は、ベースと、前記ベースから延びる一対のアームとを備え、前記一対のアームが前記中心部材の幅方向に前記中心部材を挟むように係合される、コードイコライザー。
【請求項２】
前記中心部材は、中心軸と、前記中心軸の下側に設けられた下側係止部とを備え、
前記係合部材が前記中心軸に係合された状態で前記係合部材の下側が前記下側係止部によって係止されるように構成される、請求項１に記載のコードイコライザー。
【請求項３】
前記中心部材は、中心軸と、前記中心軸に沿って互いに間隔を開けて設けられた上側係止部及び下側係止部とを備え、前記係合部材は、前記上側係止部と前記下側係止部の間において前記中心軸に係合される請求項１に記載のコードイコライザー。
【請求項４】
前記中心部材は、前記コードイコライザーの上面において露出している、請求項１〜請求項３の何れか１つに記載のコードイコライザー。
【請求項５】
前記中心部材は、前記コードイコライザーを下側に引き下げるための操作コードを保持するように構成され、且つ前記操作コードの端部に設けられた係止部を収容する係止部ポケットを備える、請求項１〜請求項４の何れか１つに記載のコードイコライザー。
【請求項６】
前記中心部材は、前記コードイコライザーを下側に引き下げるための操作コードを保持するように構成され、且つ前記操作コードを挿通させる操作コード挿通孔を備える、請求項１〜請求項５の何れか１つに記載のコードイコライザー。
【請求項７】
前記中心部材は、前記係合部材に向かって開いたスリットを備え、
前記係合部材が前記中心部材に係合された状態で前記スリットと前記係合部材の間に前記引張コードが保持可能になるように構成される、請求項１〜請求項６の何れか１つに記載のコードイコライザー。
【請求項８】
前記スリットは、前記中心部材の上面よりも下側の位置に設けられる、請求項７に記載のコードイコライザー。
【請求項９】
前記係合部材の上端において、前記中心部材と前記係合部材の間に隙間が設けられている、請求項１〜請求項８の何れか１つに記載のコードイコライザー。
【請求項１０】
前記係合部材は、前記中心部材に向かって突出する突出台を備え、
前記突出台の幅方向の両端にはテーパー面が設けられている、請求項１〜請求項９の何れか１つに記載のコードイコライザー。
【請求項１１】
建築物に据付される支持部材から垂下される複数本の引張コードを保持するコードイコライザーであって、前記コードイコライザーは、前記複数本の引張コードを略平行にした状態で前記コードイコライザーに下向きの荷重が加わったときに前記複数本の引張コードを保持し、かつ前記複数本の引張コードを拡開させる方向に前記引張コードに荷重が加わったときに前記コードイコライザーに弾性変形を生じさせるか又は前記コードイコライザーを分割させることにより前記複数本の引張コードと前記コードイコライザーによって形成されるループ構造を解除するか又はループ構造の長さを増大させるように構成され、
前記コードイコライザーは、中心部材と、前記中心部材に係合する１又は複数の係合部材とを備え、
前記係合部材は、ベースと、前記ベースから延びる一対のアームとを備え、前記一対のアームが前記中心部材に係合され、
前記中心部材は、中心軸と、前記中心軸の下側に設けられた下側係止部とを備え、
前記係合部材が前記中心軸に係合された状態で前記係合部材の下側が前記下側係止部によって係止されるように構成される、コードイコライザー。
【請求項１２】
前記中心部材は、前記中心軸の上側に設けられた上側係止部を備え、前記係合部材は、前記下側係止部と前記上側係止部の間で前記中心軸に係合される、請求項１１に記載のコードイコライザー。
【請求項１３】
建築物に据付される支持部材から垂下される複数本の引張コードを保持するコードイコライザーであって、前記コードイコライザーは、前記複数本の引張コードを略平行にした状態で前記コードイコライザーに下向きの荷重が加わったときに前記複数本の引張コードを保持し、かつ前記複数本の引張コードを拡開させる方向に前記引張コードに荷重が加わったときに前記コードイコライザーに弾性変形を生じさせるか又は前記コードイコライザーを分割させることにより前記複数本の引張コードと前記コードイコライザーによって形成されるループ構造を解除するか又はループ構造の長さを増大させるように構成され、
前記コードイコライザーは、中心部材と、前記中心部材に係合する１又は複数の係合部材とを備え、
前記係合部材は、ベースと、前記ベースから延びる一対のアームとを備え、前記一対のアームが前記中心部材に係合され、
前記係合部材は、前記中心部材に向かって突出する突出台を備え、
前記突出台の幅方向の両端にはテーパー面が設けられている、コードイコライザー。
【請求項１４】
前記中心部材と前記係合部材は、互いに分離可能な別々の部材である、請求項１〜請求項１３の何れか１つに記載のコードイコライザー。
【請求項１５】
前記中心部材と前記係合部材は、前記中心部材と前記係合部材の間の係合が解除された状態において、それぞれ、１本の引張コードを保持するように構成される、請求項１〜請求項１４の何れか１つに記載のコードイコライザー。
【請求項１６】
前記アームの先端の上下方向の上側の角部に丸め面が設けられている、請求項１〜請求項１５の何れか１つに記載のコードイコライザー。
【請求項１７】
前記中心部材と前記係合部材は、前記中心部材と前記係合部材が係合された状態で前記コードイコライザーの上面に下向きの荷重が加わっても前記中心部材と前記係合部材の係合が解除されないように構成される、請求項１〜請求項１６の何れか１つに記載のコードイコライザー。
【発明の詳細な説明】
【技術分野】
【０００１】
この発明は、横型ブラインド、たくし上げカーテン、プリーツスクリーン、ロールアップスクリーン、縦型ブラインド、カーテンレール、アコーディオンカーテン、縦型プリーツスクリーン、縦型ロールスクリーン、パネルカーテン等の遮蔽装置、及びこのような遮蔽装置に用いられるコードイコライザーに関する。
【背景技術】
【０００２】
遮蔽装置においては、開口部に対する上下又は左右の開閉動作を所謂紐引きで行う形式がある。上下に開閉する形式のものは、例えば支持部材（ヘッドボックス）から吊り下げられるスラットや生地(遮蔽材、移動部材)の下部に設けられたボトムレール（移動部材）に複数の昇降コードの一端が取着され（直接的に遮蔽部材の下端に取着される場合もある）、複数の昇降コードの他端がヘッドボックス内を取り回されヘッドボックスの一端に集約されて垂下される。他端側の昇降コード部分、他端側の昇降コード部分に設けられたつまみ（コードイコライザー）、又は他端側の昇降コード端部と接続された別体の操作コードを引き或は引き戻すことにより、遮蔽材の昇降動作を行う。左右に開閉する形式のものは、例えばハンガーレールから吊り下げられる遮蔽材の移動先頭側に設けられた先頭ランナー又は移動框に複数の引張コードの一端が取着され、複数の引張コードの他端が框や支持部材（ヘッドレール）内を取り回されヘッドレールの一端又は壁面固定框等の一箇所に集約されて垂下される。他端側の引張コード部分、他端側の引張コード部分に設けられたつまみ（コードイコライザー）、又は他端側の引張コード端部と接続された別体の操作コードを引き或は引き戻すことにより、遮蔽材の左右への開閉動作を行う。尚、一方向への移動は錘やバネ等の付勢手段を用いて反自動で動作させるものもある。
（例えば、上下に開閉する形式のものとして特許文献１を参照）。
【先行技術文献】
【特許文献】
【０００３】
【特許文献１】特開平８−１８９２７０号公報
【発明の概要】
【発明が解決しようとする課題】
【０００４】
特許文献１では、複数の引張コードの端を安全ふさに連結し、安全ふさにはコード掛け手段（スロット）及び引張コードの結び目より大きい開口を設け、複数の引張コード間に子供が首を押し入れても結び目が開口の方向にずれて自動的に抜け外れる技術が開示されている。このような構成では、結び目が確実にずれない可能性があり信頼性において改善の余地がある。
そこで、非常時確実に人身等の引っ掛かりを除去或は人身等への負荷を確実に減衰できる技術が望まれている。
【０００５】
本発明はこのような事情に鑑みてなされたものであり、確実に異物の引っ掛かりを除去或は人身等への負荷を減衰できる紐引き形式の遮蔽装置を提供するものである。
【課題を解決するための手段】
【０００６】
本発明によれば、建築物に据付される支持部材から垂下される複数本の引張コードを保持するコードイコライザーであって、前記コードイコライザーは、前記複数本の引張コードを略平行にした状態で前記コードイコライザーに下向きの荷重が加わったときに前記複数本の引張コードを保持し、かつ前記複数本の引張コードを拡開させる方向に前記引張コードに荷重が加わったときに前記コードイコライザーに弾性変形を生じさせるか又は前記コードイコライザーを分割させることにより前記複数本の引張コードと前記コードイコライザーによって形成されるループ構造を解除するか又はループ構造の長さを増大させるように構成される、コードイコライザーが提供される。
【０００７】
本発明の構成では、複数本の引張コードを拡開させる方向に荷重が加わったときに、その荷重を利用してコードイコライザーに弾性変形を生じさせるか又はコードイコライザーを分割させ、これによって、複数本の引張コードとコードイコライザーによって形成されるループ構造を解除するか又はループ構造の周長を延伸させる。このような構成により、確実に異物の引っ掛かりを除去或は人身等への負荷を減衰することができることが分かり、本発明の完成に到った。
【０００８】
以下、本発明の種々の実施形態を例示する。以下に示す実施形態は互いに組み合わせ可能である。
好ましくは、前記コードイコライザーは、それぞれが前記引張コードを保持する複数部材を備え、前記複数部材は、前記複数本の引張コードを略平行にした状態で前記コードイコライザーに下向きの荷重が加わったときに分離されず、且つ前記複数本の引張コードを拡開させる方向に前記複数本の引張コードに荷重が加わったときに互いに分離されて前記ループ構造を解除するように構成される。
好ましくは、前記コードイコライザーが保持可能な前記引張コードの数は、前記複数部材の数と同数であるか、又は前記複数部材の数よりも多く、前記コードイコライザーが保持可能な前記引張コードの数が前記複数部材の数よりも多い場合、前記コードイコライザーは、前記複数部材が互いに離されて生じる前記複数部材間の隙間を通じて、前記引張コードのうちの少なくとも１つが前記コードイコライザーから離脱可能であるように構成される。
好ましくは、前記複数部材の少なくとも１つに前記引張コードを前記複数部材の境界面に導く昇降コードガイド面が設けられる。
好ましくは、前記コードイコライザーは、中心部材と、前記中心部材に係合する１又は複数の係合部材とを備え、前記中心部材は、中心軸と、前記中心軸に沿って互いに間隔を開けて設けられた上側係止部及び下側係止部とを備え、前記係合部材は、前記上側係止部と前記下側係止部の間において前記中心部材に係合される。
好ましくは、前記係合部材は、前記中心軸に対して係合される。
好ましくは、前記コードイコライザーは、中心部材と、前記中心部材に係合する第１及び第２係合部材とを備え、第１及び第２係合部材は、それぞれ、ベースと、前記ベースから延びる一対のアームとを備え、第１及び第２係合部材は、第１係合部材のアームと第２係合部材のアームが互いに上下方向に並ぶように前記中心部材に係合される。
好ましくは、第１及び第２係合部材の一方の前記アームの先端面が第１及び第２係合部材の他方の前記ベースの先端面に当接する。
好ましくは、前記コードイコライザーは、ケースと、前記ケースに係合されるコード保持部材と、前記コード保持部材と前記ケースの間の係合の保持力を低減するためのスライド部材とを備え、前記コード保持部材は、前記ケースへの係合状態では前記複数本の引張コードを保持してループ構造を形成し、且つ前記ケースとの係合が解除された状態では前記ループ構造が解除されるように構成され、前記スライド部材は、前記複数本の引張コードを拡開させる方向に前記複数本の引張コードに荷重が加わったときに、前記ケースに対してスライド移動して前記係合の保持力を低減させて前記コード保持部材を前記ケースから分離させる。
好ましくは、前記スライド部材は、前記コードに加わる荷重を検知するコード加重検知部を有する。
好ましくは、前記スライド部材は、前記ケースから離れる方向に付勢されている。
好ましくは、前記ケースは、ケース側係合部を備え、前記コード保持部材は、前記ケース側係合部に係合するコード保持部材側係合部を備え、前記スライド部材は、前記スライド移動によって前記コード保持部材側係合部を変位させるか又は前記コード保持部材側係合部の変位の抑制を解除することによって、前記係合の保持力を低減させる。
好ましくは、前記ケース側係合部は、係合軸であり、前記コード保持部材側係合部は、前記係合軸を挟み込むように前記係合軸に係合する一対の弾性アームであり、前記スライド部材は、前記一対の弾性アームの間に配置されたスライド部をスライド移動させて前記一対の弾性アームの間の間隔を広げることによって前記係合の保持力を低減させる。
好ましくは、前記ケース側係合部は、前記ケースの内面から突出し且つ前記ケースの径方向中央に向かって上側に傾斜するテーパ面を備え、前記コード保持部材側係合部は、前記テーパ面に係合する弾性アームであり、前記スライド部材は、前記弾性アームを挟んで前記テーパ面とは反対側に設けられ且つ前記テーパ面と前記弾性アームの間の係合力を変化させるスライド部を備える。
好ましくは、前記スライド部は、前記弾性アームに向かって上側に傾斜するテーパ面を備える。
好ましくは、前記スライド部材は、筒状であり、前記コード保持部材は、前記スライド部材内に収容され、前記コード保持部材は、前記引張コードを保持するコード保持部と前記弾性アームの間に隔壁を備え、前記隔壁には、前記弾性アーム側にリブが立設される。
好ましくは、前記コード保持部材は、前記ケースとの係合が解除された状態で１本の引張コードを保持するように構成される。
好ましくは、前記コード保持部材は、前記ケースとの係合が解除された状態で前記複数本の引張コードを仮止め可能に構成される。
好ましくは、前記複数本の引張コードは、それぞれ、係止部を備え、前記コードイコライザーは、前記複数本の引張コードを略平行にした状態で前記コードイコライザーに下向きの荷重が加わったときに前記係止部を保持し、且つ前記複数本の引張コードを拡開させる方向に前記複数本の引張コードに荷重が加わったときに前記係止部の保持を解除するように構成される。
好ましくは、前記コードイコライザーは、イコライザー本体と、弾性変形可能なカバーとを備え、前記イコライザー本体は、前記引張コードを挿通可能であり且つ前記係止部を挿通不能である複数の挿通溝と、前記係止部を収容可能な係止部収容部とを備え、前記カバーは、前記係止部収容部を覆うように前記イコライザー本体に装着可能であり、前記係止部は、前記カバーの弾性力によって前記係止部収容部に保持される。
好ましくは、前記複数本の引張コードは、前記挿通溝に１本ずつ収容され、前記イコライザー本体は、前記複数本の引張コードを略平行にした状態で前記コードイコライザーに下向きの荷重が加わったときに前記係止部を保持する係止部保持面を備える。
好ましくは、前記係止部保持面は、前記引張コードの長手方向に対して略垂直な平面、又は前記イコライザー本体の径方向内側に向かうテーパ面を備える。
好ましくは、前記イコライザー本体は、前記複数本の引張コードを拡開させる方向に前記複数本の引張コードに荷重が加わったときに前記係止部を径方向外側に導くテーパ面を備える。
好ましくは、前記コードイコライザーは、前記引張コードを挿通可能であり且つ前記係止部を挿通不能である複数の挿通溝を備え、前記挿通溝は、前記引張コードを弾性的に保持するように構成される。
好ましくは、前記コードイコライザーは、前記コードイコライザーを下側から引き下げるための操作コードを保持するように構成される。
好ましくは、前記コードイコライザーは、前記コードイコライザーを貫通するように前記引張コードを保持し、前記引張コードは、前記引張コードの、前記コードイコライザーよりも下側の部分を引き下げることによって前記コードイコライザーを下側から引き下げ可能に保持される。
好ましくは、前記コードイコライザーは、単一部材からなるか、又は複数部材からなる場合はこれらの複数部材は前記コードイコライザーの上面において周方向に分割されていない。
本発明は、別の観点によれば、建築物に据付される支持部材と、前記支持部材から垂下される複数本の引張コードと、前記複数本の引張コードを保持するコードイコライザーと、前記引張コードを引っ張ることにより移動して前記建築物の開口部における遮蔽状態を開状態と閉状態との間で調節する移動部材とを備える遮蔽装置であって、前記コードイコライザーは、上記記載のコードイコライザーである、遮蔽装置を提供するものである。
【図面の簡単な説明】
【０００９】
【図１】本発明の第１実施形態の横型ブラインドを示し、（ａ）は正面図、（ｂ）は側面図、（ｃ）はスラット３を上昇させたときの正面図である。
【図２】コードイコライザー８を示す正面図であり、（ａ）は２つの係合部材４５，４６と中心部材１１が係合された状態、（ｂ）は係合部材４５，４６の一方が中心部材１１から分離された状態を示す。
【図３】コードイコライザー８の分解図を示し、（ａ）は中心部材１１、（ｂ）は右側の係合部材４５、（ｃ）は右側の係合部材４５の平面図、（ｄ）は左側の係合部材４６、（ｅ）は左側の係合部材４６の底面図である。
【図４】（ａ）係合部材４５に矢印Ｘ方向の力が加わった時に係合部材４５が中心部材１１から分離される作用を示す平面図であり、（ｂ）は、不意な分割が起こりやすいコードイコライザーの例を示す平面図である。
【図５】昇降コード５とコードイコライザー８によって形成されるループ構造に異物Ｗが引っ掛かった場合の作用を示す正面図であり、（ａ）は係合部材４５が中心部材１１から分離される前の状態、（ｂ）は分離された後の状態を示す。
【図６】（ａ）ボトムレール２の端部の斜視図、（ｂ）ボトムキャップ６の端部の縦断面図、（ｃ）ボトムキャップ６の端部の縦断面図（開放状態）であり、（ｄ）〜（ｅ）は、操作コード１０に異物が引っ掛かった場合の作用を示す正面図である。
【図７−１】第１実施形態の変形例１を示し、中心部材１１と係合部材４５，４６の係合構造の変形例を示す断面図である。
【図７−２】第１実施形態の変形例２を示し、（ａ）〜（ｃ）は、それぞれ、上面側、側面側、底面側から見た斜視図である。
【図７−３】第１実施形態の変形例２を示し、（ａ）は、係合部材４５を中心部材１１から取り外した状態を示す分解斜視図であり、（ｂ）は、係合部材４５，４６を中心部材１１から取り外した状態を示す分解斜視図である。
【図７−４】第１実施形態の変形例２を示し、中心部材１１の左側面図である。
【図８】本発明の第１実施形態の変形例３の横型ブラインドにおいて、昇降コード５とコードイコライザー８によって形成されるループ構造に異物Ｗが引っ掛かった場合の作用を示す正面図であり、（ａ）は係合部材４５が中心部材１１から分離される前の状態、（ｂ）は分離された後の状態を示す。
【図９】本発明の第２実施形態のコードイコライザー８を示す斜視図である。
【図１０】図９のコードイコライザー８の底面を示す底面図である。
【図１１】図９のコードイコライザー８の側面側から示した断面図である。
【図１２】図９のコードイコライザー８のケース部分を示す側面図である。
【図１３】図９のコードイコライザー８のケース部分を示す側面側から示した断面図である。
【図１４】図９のコードイコライザー８のスライド部材７１を示す側面図である。
【図１５】図９のコードイコライザー８のスライド部材７１を側面側から示した断面図である。
【図１６】図９のコードイコライザー８のコード保持部材７２を示した斜視図である。
【図１７】図９のコードイコライザー８の作用を側面側から示した断面図である。
【図１８】図９のコードイコライザー８の作用を側面側から示した断面図である。
【図１９】図９のコードイコライザー８の作用を側面側から示した断面図である。
【図２０】図９のコードイコライザー８の作用を側面側から示した断面図である
【図２１】本発明の第２実施形態の変形例１のコードイコライザー８の側面側から示した断面図である。
【図２２】本発明の第２実施形態の変形例２のコードイコライザー８の側面側から示した断面図である。
【図２３】（ａ）〜（ｂ）は、図２２のコードイコライザー８の断面を異なる角度から見た斜視図である
【図２４】（ａ）〜（ｂ）は、図２２のコードイコライザー８のコード保持部材７２を異なる角度から見た斜視図である。
【図２５】（ａ）〜（ｂ）は、図２２のコードイコライザー８を異なる角度から見た斜視図である。
【図２６】図２２のコードイコライザー８の分解斜視図である。
【図２７】図２２のコードイコライザー８の第１ケース６９と第２ケース７０の係合方法を説明するための斜視図である。
【図２８】図２２のコードイコライザー８に操作コード１０を装着する方法を説明するための断面斜視図である。
【図２９】図２２のコードイコライザー８の第２ケース７０の斜視図である。
【図３０】本発明の第３実施形態の横型ブラインドを示す正面図である。
【図３１】本発明の第３実施形態のコードイコライザー８を示し、（ａ）は斜視図、（ｂ）は昇降コード５を挿通した状態の斜視図、（ｃ）は平面図、（ｄ）は昇降コード５を挿通した状態の底面図である。
【図３２】本発明の第３実施形態のコードイコライザー８からカバー５３を外した状態を示し、（ａ）は斜視図、（ｂ）及び（ｄ）は（ａ）と同じ状態の別角度の斜視図、（ｃ）はカバー５３の斜視図である。
【図３３】本発明の第３実施形態のコードイコライザー８を示し、（ａ）は、断面図、（ｂ）は、異物が引っ掛かった場合の作用を示す断面図、（ｃ）は、昇降コード５がコードイコライザー８と相対移動する作用を示す断面図、（ｄ）は、互いに逆方向に昇降コード５が引っ張られた場合の作用を示す断面図である。
【図３４】（ａ）〜（ｂ）は、本発明の第３実施形態の横型ブラインドの正面図であり、（ａ）は、昇降コードに異物が引っ掛かった状態を示し、（ｂ）は、昇降コード５がコードイコライザー８と相対移動した状態を示す。
【図３５】（ａ）は、本発明の第３実施形態のコードイコライザー８の上部の昇降コード５に異物が引っ掛かった場合の別の解除状態を示す正面図であり、（ｂ）は、同状態の横型ブラインドを示す正面図である。
【図３６】（ａ）は、本発明の第３実施形態のコードイコライザー８の上部の昇降コード５に異物が引っ掛かった場合の別の解除状態を示す正面図であり、（ｂ）は、同状態の横型ブラインドを示す正面図であり、（ｃ）は、昇降コード５がコードイコライザー８に対し相対移動する作用を示す横型ブラインドの正面図であり、（ｄ）は、異物が昇降コード５から離脱した状態を示す横型ブラインドの正面図である。
【図３７】（ａ）は、本発明の第３実施形態の変形例１を示すコードイコライザー８の斜視図、（ｂ）は、別角度の斜視図、（ｃ）は、昇降コード５を挿通した状態の平面図、（ｄ）は、底面図、（ｅ）は、昇降コード５を挿通した状態の断面図、（ｆ）は、異物が引っ掛かった場合の作用を示す断面図である。
【図３８】（ａ）〜（ｂ）は、本発明の第３実施形態の変形例２の横型ブラインドの正面図であり、（ａ）は、昇降コードに異物が引っ掛かった状態を示し、（ｂ）は、コードイコライザー８が昇降コード５から分離された状態を示す。
【図３９】第１実施形態の変形例４を示し、（ａ）〜（ｃ）は、それぞれ、上面側、側面側、底面側から見た斜視図である。
【図４０】第１実施形態の変形例４を示し、（ａ）は、係合部材４５を中心部材１１から取り外した状態を示す分解斜視図であり、（ｂ）は、係合部材４６も中心部材１１から取り外した状態を示す分解斜視図である。
【図４１】（ａ）は、図３９（ａ）中の領域Ａの辺りの拡大斜視図であり、（ｂ）は、（ａ）の状態から係合部材４５が中心部材１１からわずかに分離した状態を示す。
【図４２】係合部材４５，４６の丸め面４５ｇｕ，４５ｅｂの作用を説明するための斜視図である。
【図４３】コードイコライザー８に昇降コード５Ｒ，５Ｃ，５Ｌと操作コード１０を取着した状態を示し、（ａ）は正面図、（ｂ）は断面図である。
【図４４】（ａ）〜（ｃ）は、図４３（ｂ）中のＡ−Ａ断面図であり、中心部材１１から係合部材４５，４６が離脱する状態の説明図である。
【図４５】（ａ）〜（ｃ）は、図４４（ａ）を−９０度回転させた状態の断面図であり、中央の昇降コード５Ｃに荷重が加わった時に係合部材４５，４６が中心部材１１から分離される作用を示す説明である。
【図４６】（ａ）は図４３（ａ）の状態から、ボックス内進入防止部材５ｂが設けられた追加の昇降コード５Ｒ１，５Ｌ１がコードイコライザー８に取り付けられた状態を示し、（ｂ）はボックス内進入防止部材５ｂが設けられた昇降コード５Ｒ１，５Ｌ１を示す。
【図４７】（ａ）は、昇降コード５Ｒ１にボックス内進入防止部材５ｂが設けられたときに、コードイコライザー８が昇降コード導出部７で傾斜する作用を示す正面図であり、（ｂ）はコードイコライザー８を水平にすべく垂下のボックス内進入防止部材５ｂが設けられた状態を示す。
【発明を実施するための形態】
【００１０】
以下、本発明の実施形態について説明する。以下に示す実施形態中で示した各種特徴事項は、互いに組み合わせ可能である。また、各特徴について独立して発明が成立する。
【００１１】
（第１実施形態）
図１に示す日射遮蔽装置としての横型ブラインドは、ヘッドボックス１（支持部材）から垂下される複数本のラダーコード４を介して多数段のスラット３（遮蔽材、移動部材）が吊下支持され、同ラダーコード４の下端にボトムレール２（移動部材）が吊下支持される。横型ブラインドは建築物の開口部寸法に合わせて据付される。
【００１２】
ラダーコード２の近傍において、ヘッドボックス１から複数本（本実施形態では３本）の昇降コード５が垂下され、これらの昇降コード５は各垂下位置においてその上端部がヘッドボックス１内に導入され、下端部が前記ボトムレール２に接続されている。
【００１３】
ヘッドボックス１内に導入された昇降コード５は、回転自在なガイドローラ（不図示）によってヘッドボックス１の幅方向右側に案内される。右側に案内された昇降コード５は集約されて、ボトムレール２の自重降下を防止する為のストッパ（不図示）を介して昇降コード導出部７からヘッドボックス１の外へ導出される。ストッパは昇降コード５の操作により昇降コード５の移動を阻止する状態と移動を許容させる状態とを選択可能となっている。従って、昇降コード５の操作により図１（ａ）に示す閉鎖状態と図１（ｃ）に示す開放状態との間でスラット３及びボトムレール２の上下方向における開度を調整可能となっている。
【００１４】
昇降コード導出部７から導出された昇降コード５はヘッドボックス１から垂下され、それらの端部はコードイコライザー８によって保持されている。このため、複数本の昇降コード５とコードイコライザー８によってループ構造が形成される。
【００１５】
コードイコライザー８には、操作コード１０が接続されており、操作コード１０は、ボトムレール２に接続されている。より具体的には、操作コード１０は、ボトムレール２の左右方向両端部に設けられたボトムキャップ６のうち一端部に取着されたボトムキャップ６に導入される。このように操作コードの一端がボトムレール２に接続されているので、ボトムレール２の昇降に伴って操作コード１０の端部がボトムレール２とともに昇降し、操作コード１０又は昇降コード５の最低部位Ｌの位置は、昇降中ほぼ一定の高さに維持される。
【００１６】
図２〜図４に示すように、コードイコライザー８の外観は、略円筒の樽形状であり、中心部材１１と、これに係合する２つの係合部材４５，４６を備える。各昇降コード５は、係止部５ａを備え、中心部材１１及び係合部材４５，４６はそれぞれ昇降コード挿通孔１１ｃ，４５ａ，４６ａとこれに隣接した係止部ポケット１１ｅ，４５ｂ，４６ｂとを備えており、昇降コード５を昇降コード挿通孔１１ｃ，４５ａ，４６ａに挿通させ、且つ係止部５ａを係止部ポケット１１ｅ，４５ｂ，４６ｂに収容させることによって、昇降コード５が中心部材１１及び係合部材４５，４６に係合される。このような構成により、中心部材１１と係合部材４５，４６には、昇降コード５が１本ずつ保持される。また、係合部材４５，４６には、外面側にコード収容溝４５ｄ，４６ｄが形成されており、昇降コード５は、この溝内を通って昇降コード挿通孔４５ａ，４６ａに挿通される。このような構成によって、複数の昇降コード５間の距離が短縮されると共にコードイコライザー８の径方向の外面から昇降コード５が突出しないようにすることができる。また、操作コード１０は、係止部１０ａを備え、中心部材１１は、操作コード挿通孔１１ｄとこれに隣接した係止部ポケット１１ｆを備えており、操作コード１０を操作コード挿通孔１１ｄに挿通させ、且つ係止部１０ａを係止部ポケット１１ｆに収容させることによって、操作コード１０が中心部材１１に係合される。
【００１７】
中心部材１１は、中心軸１１ｇと、中心軸１１ｇに沿って互いに間隔を開けて設けられた上側係止部１１ａ及び下側係止部１１ｂを備える。係合部材４５，４６は、同一形状であり、ベース４５ｆ、４６ｆと、ベース４５ｆ，４６ｆから延びる一対のアーム４５ｃ，４６ｃを備える。一対のアーム４５ｃ，４６ｃは、中心軸１１ｇを挟み込んで中心軸１１ｇに係合するように構成されている。一対のアーム４５ｃ，４６ｃの高さは、中心軸１１ｇの約半分になっている。係合部材４５，４６は、互いに上下反転した状態で中心軸１１ｇに係合される。係合部材４５のアーム４５ｃの先端面４５ｅが、係合部材４６のベース４６ｆの先端面４６ｇに当接し、係合部材４６のアーム４６ｃの先端面４６ｅが、係合部材４５のベース４５ｆの先端面４５ｇに当接するようになっている。このような構成によって、中心部材１１に係合部材４５，４６を係合させた状態において、係合部材４５，４６がほぼ隙間なく組み合わさって係合部材４５，４６のガタツキが抑制される。
【００１８】
本実施形態の構成によれば、係合部材４５，４６が上側係止部１１ａと下側係止部１１ｂによって挟まれているので、係合部材４５，４６に対して中心軸１１ｇに沿った方向（図２（ａ）の矢印Ｙ方向）の力が加わっても係合部材４５，４６と中心部材１１の係合は解除されない。ユーザーは、通常、コードイコライザー８自体を把持してコードイコライザー８を引き下げるか、又は操作コード１０を把持して操作コード１０を引き下げることによって、昇降コード５の引き下げ操作を行う。どちらの方法で操作を行う場合でも、複数本の昇降コード５が互いに略平行になった状態でコードイコライザー８に下向きの荷重が加わるものであり、係合部材４５，４６と中心部材１１との間の係合を分離させる力が加わらず、ユーザーの操作中にコードイコライザー８が分解されることはない。また、コードイコライザー８を把持して引き下げる際には、コードイコライザー８の上面（上側係止部１１ａの上側の面）に力が加わりやすいので、この面においてコードイコライザー８が図４（ｂ）に示すように周方向に複数部材Ａ，Ｂ，Ｃに分割されていると、例えば部材Ａのみに力が加わったときに部材Ａが不意に分離されてしまう。一方、本実施形態によれば、コードイコライザー８を構成する複数の部材がコードイコライザー８の上面において周方向に分割されていないので、このような不意な分割が生じない。このように、本実施形態のコードイコライザー８は、操作時に不意に分割されることがなく、操作性に優れている。
【００１９】
一方、例えば、図５に示すように、係合部材４５によって保持されている昇降コード５と、中心部材１１によって保持されている昇降コード５の間に異物Ｗが挟まった場合、これらの昇降コード５を拡開させる方向に昇降コード５に荷重Ｃが加わると、係合部材４５には、中心軸１１ｇの垂直方向（図２（ａ）の矢印Ｘ方向）の力が加わる。この力によって、図４（ａ）に示すように、一対のアーム４５ｃの間の間隔が広がって係合部材４５と中心部材１１の間の係合が解除される。そして、図５（ｂ）に示すように、昇降コード５とコードイコライザー８によって形成されるループ構造が解除され、異物Ｗが脱落して安全が確保される。
【００２０】
図６（ａ）に示すように、ボトムレール２の端部にはボトムキャップ６が取着されている。ボトムレール２は中空状であり、ボトムキャップ６は一端面がボトムレール２の内部空間と連通している。ボトムキャップ６の正面側垂立面には略円形の挿通孔２１が複数形成され、ボトムレール６内部に通じる開口となっている。挿通孔２１間及びボトムキャップ６の端縁を結ぶように連通スリット３８が形成され、ボトムキャップ６の端縁から連通スリット３８を経由して操作コード１０を挿通孔２１まで挿入させることが可能となっている。なお、ボトムキャップ６は、複数本のコードを保持可能にするように複数の挿通孔２１を設けているが、１本の操作コード１０を保持させる場合は、挿通孔２１は１つでよい。
【００２１】
図６（ｂ）に示すように、ボトムキャップ６の内部には解除バー４０が前後方向に設けられている。また、挿通孔２１近傍には、固定挟着部２３がボトムキャップ６に一体に設けられている。固定挟着部２３と対向するように解除バー４０には細長薄板状の可動挟着部２２が設けられている。固定挟着部２３及び可動挟着部２２の先端部には凹凸面が形成され、凹凸面により操作コード１０を一括して複数本挟むことが可能になっている。従って、図６（ｂ）に示す状態で、固定挟着部２３と可動挟着部２２とで操作コード１０の端部を所定の保持力により移動しないよう保持可能となっている。複数の操作コード１０の各端部は切断されほつれ止めされた状態とされ、結び玉は等の抜け止めは設けられず、各操作コード１０は無端状となっている。
【００２２】
解除バー４０の長手方向中央部には支持部２４がボトムキャップ６と一体に形成されている。解除バー４０の後方には解除操作片２５が設けられている。ボトムキャップ６の後面側垂立面には解除操作片２５が内外を通過する回動孔３９が形成されている。解除操作片２５を図６（ｃ）の矢印Ｂ方向に押すことにより固定挟着部２３と可動挟着部２２との間の間隔を、操作コード１０を差し込むことができる十分な間隔にまで拡げることが可能となっている。
【００２３】
図６（ｄ）に示すように、異物Ｗがコードイコライザー８の下方に位置する操作コード１０に引っ掛かって荷重Ｃが作用し、ボトムキャップ６による操作コード１０の所定保持力を超える分力が操作コード１０に作用した場合、図６（ｅ）に示すようにボトムキャップ６から操作コード１０の端部が外れ、安全性が保たれる。通常の使用状態に復帰させるには、操作コード１０の端部を挿通孔２１に挿入し、図６（ｃ）に示すように解除操作片２５を操作して固定挟着部２３と可動挟着部２２との間に操作コード１０を差し込むことにより復帰可能である。
【００２４】
本実施形態は、以下の態様でも実施可能である。
・上記実施形態では、部材点数を減らすために係合部材４５，４６を同一形状にしているが、両者は必ずしも同一形状である必要はない。
・係合部材４５，４６と中心部材１１との係合構造は、別の構造であってもよく、例えば、図７−１に示す変形例１のように、中心軸１１ｇを中心として係合部材４５，４６のアーム４５ｃ，４６ｃが重なり合うようにアーム４５ｃ，４６ｃを中心軸１１ｇに係合させてもよい。さらに、係合部材４５，４６の上面と下面の少なくとも一方を上側係止部１１ａと下側係止部１１ｂの少なくとも一方と弾性係合させてもよい。例えば、係合部材４５，４６の上面と下面にそれぞれ係合凸部を設け、上側係止部１１ａの下面と下側係止部１１ｂの上面にそれぞれ係合凹部を設け、これらの係合凸部と係合凹部を弾性係合させることができる。
・中心部材１１が複数に分割可能であってもよい。
・中心部材１１は必須ではなく、係合部材同士を直接係合させてもよい。
・係合部材の数は、３つ以上であってもよい。この場合、３つ以上の係合部材は、例えば中心軸１１ｇに沿って並べるように中心軸１１に係合させることができる。
・コードイコライザー８を構成する複数部材は、弾性係合によって一体化されていることは必須ではなく、例えば磁力による吸引力によって一体化されていてもよい。その場合でも、複数の昇降コード５を拡開させる方向に昇降コード５に荷重が加わることによって複数部材が分離されることによって安全が確保され、かつ操作可能な状態に容易に復帰可能である。
【００２５】
（第１実施形態の変形例２）
図７−２〜図７−４を用いて、本発明の第１実施形態の変形例２について説明する。
上記実施形態では、係合部材４５，４６の外面にコード収容溝４５ｄ，４６ｄを設けているが、本変形例では、係合部材４５，４６の内面側に突出台４５ｈ，４６ｈを設け、突出台４５ｈ，４６ｈに昇降コード挿通孔４５ｉ，４６ｉを設けている。昇降コード５の係止部５ａは、突出台４５ｈ，４６ｈの底面で係止される。中心部材１１には、突出台４５ｈ，４６ｈとの干渉を避けるための突出台ポケット１１ｍと、昇降コード５との干渉を避けるためのコード収容溝１１ｋ，１１ｌが設けられている。本変形例によれば、係合部材４５，４６の外面に溝を形成することを避けることができることに加えて、複数の昇降コード５の間の距離を狭めることができるので、複数の昇降コード５の間に異物Ｗが入りにくくなるという利点がある。
【００２６】
（第１実施形態の変形例３）
本発明の第１実施形態の変形例３は、第１実施形態に類似した構成を有しており、昇降コード５が２本であり、係合部材４５，４６にのみ昇降コード５が接続されていて、中心部材１１には昇降コード５が接続されていない点が主な差異点である。
本変形例の場合でも、図８（ａ）〜（ｂ）に示すように、昇降コード５とコードイコライザー８によって形成されるループ構造に異物Ｗが挟まった場合には、その荷重によって昇降コード５が拡開されることによって係合部材４５，４６が中心部材１１から分離されることによって安全が確保される。なお、図８（ｂ）では、係合部材４５，４６の両方が中心部材１１から分離された状態を示しているが、荷重Ｃの加わり方によっては係合部材４５のみ又は係合部材４６のみが中心部材１１から外れる場合もある。
【００２７】
（第１実施形態の変形例４）
図３９〜図４７を用いて、本発明の第１実施形態の変形例４について説明する。本変形例は、第１実施形態の変形例２に類似した構成を有しており、以下、差異点を中心に説明する。以下の説明中で、昇降コードを「昇降コード５」と総称し、個別の昇降コードを「昇降コード５Ｒ」「昇降コード５Ｒ１」などと称する。
上記変形例２では、中心部材１１の上側係止部１１ａは略円形であり、コード収容溝１１ｋ，１１ｌに１本の昇降コード５が挿通可能であったが、本変形例では、上側係止部１１ａは、細長い形状になっており、上側係止部１１ａと係合部材４５，４６の間に三日月状の隙間１１ｐ，１１ｑが設けられている。この隙間１１ｐ，１１ｑにそれぞれ最大３本の昇降コード５が挿通される。隙間１１ｐ，１１ｑに挿通された最大６本の昇降コードのうちの２本の昇降コード５は、上記変形例２と同様に、突出台４５ｈ，４６ｈに設けられた昇降コード挿通孔４５ｉ，４６ｉに挿通されて係止される。残りの４本の昇降コード５は、中心部材１１の中央壁１１ｒから係合部材４５，４６に向かって突出する突出台１１ｓ，１１ｕに設けられたスリット１１ｔ，１１ｖ内に収容されて係止される。また、中心部材１１の昇降コード挿通孔１１ｃは、中央壁１１ｒを貫通してポケット１１ｏにまで続いており、昇降コード挿通孔１１ｃに挿通された昇降コード５は、ポケット１１ｏの上面で係止される。なお、各昇降コード５は、図４３（ｂ）に示すように、それぞれの先端に玉止めなどの係止部５ａが設けられて係止される。
【００２８】
係合部材４５が中心部材１１に係合されている状態では、図４１（ａ）に示すように、係合部材４５の突出台４５ｈの先端が中心部材１１の突出台１１ｓと平面視において重なる位置関係となっており、スリット１１ｔの側壁と突出台４５ｈによって囲まれる空間Ｐに昇降コード５が保持される。空間Ｐは、スリット１１ｔの側壁と突出台４５ｈによって囲まれているので、通常時には空間Ｐ内の昇降コード５は容易には離脱しない。一方、空間Ｐ内の昇降コード５に異物が引っかかって図４１の矢印Ｘ方向の荷重が加わると、昇降コード５が突出台４５ｈを押すことによって、図４１（ｂ）に示すように、係合部材４５が中心部材１１から離れて、突出台４５ｈと突出台１１ｓの間に隙間Ｑが形成され、空間Ｐ内の昇降コード５が隙間Ｑを通って離脱してコードイコライザー８から外れることによって安全が確保される。空間Ｐ内の昇降コード５は、昇降コード５が通過可能な隙間Ｑが形成される程度に係合部材４５が中心部材１１から離れればコードイコライザー８から離脱可能である。従って、空間Ｐ内の昇降コード５がコードイコライザー８から離脱する際に、係合部材４５は、中心部材１１から分離される場合もあるが、中心部材１１から分離されない場合もある。例えば、係合部材４５が中心部材１１から外れかけて隙間Ｑが形成されて昇降コード５が離脱した後に係合部材４５がその弾性力によって元の状態に復帰する場合もある。
なお、突出台４５ｈの幅方向の両端にはテーパ面４５ｊが設けられており、テーパ面４５ｊがスリット１１ｔ内に入り込んでいるので、荷重が加わったときに昇降コード５の離脱に十分な大きさの隙間Ｑが形成されやすくなっている。係合部材４６突出台４６ｈと中心部材１１の突出台１１ｕも同様の構成になっており、突出台４６ｈの幅方向の両端にはテーパ面４６ｊが設けられている。なお、スリット１１ｔを係合部材４５に設け、テーパ面４５ｊを中心部材１１に設けるように構成してもよい。
【００２９】
また、係合部材４５、４６の対向面の角部には丸め面が形成されている。具体的には、係合部材４５には、上側から順に丸め面４５ｇｕ，４５ｇｂ，４５ｅｕ，４５ｅｂが形成され、係合部材４６には、上側から順に丸め面４６ｅｕ，４６ｅｂ、４６ｇｕ，４６ｇｂが形成されている。丸め面４５ｇｂ，４５ｅｕ，４５ｅｂ、４６ｅｂ、４６ｇｕ，４６ｇｂは、係合部材４５，４６の間の相対回転を容易にして、係合部材４５，４６が中心部材１１からスムーズに離脱することを可能にしている。一方、丸め面４５ｇｕ，４６ｅｕは、図４２に示すように、隙間１１ｐに挿通され且つスリット１１ｔに係止されている昇降コード５Ｒ１に矢印Ｘ方向の荷重が加わってコードイコライザー８が傾斜したときに、係合部材４５に係止されている昇降コード５Ｒを係合部材４５，４６の境界面Ｂに導いて、係合部材４５，４６の間に分離力を働かせるために設けられる。つまり、丸め面４５ｇｕ，４６ｅｕは、昇降コード５Ｒを境界面Ｂに導く昇降コードガイド面として機能し、その形状は、例えば、平面状のテーパ面であってもよい。なお、中心部材１１に形成されている昇降コード５Ｃに荷重が加わって昇降コード５Ｒが境界面Ｂに導かれる場合もある。また、昇降コード５Ｒに荷重が加わって、昇降コード５Ｒ１が境界面Ｂに導かれる場合もある。ここでは、係合部材４５側に保持されている昇降コード５について説明したが、係合部材４６側に保持されている昇降コード５についても同様である。
【００３０】
図４３は、中心部材１１と係合部材４５，４６のそれぞれに昇降コード５を１本ずつ取り付け、中心部材１１に操作コード１０を取り付けた状態を示す（これらの昇降コード５を以下、昇降コード５Ｃ，５Ｒ，５Ｌとも称する）。昇降コード５Ｃと５Ｒの間の空間Ｒに異物が挟まって昇降コード５Ｒに荷重が加わった場合、係合部材４５に対して図４４（ａ）の矢印Ｘ１方向の力が加わって、図４４（ｂ）に示すように、中心部材１１にスナップ固定された係合部材４５が離脱する。一方、昇降コード５Ｃと５Ｌの間の空間Ｌに異物が挟まって昇降コード５Ｌに荷重が加わった場合、係合部材４６に対して図４４（ａ）の矢印Ｘ２方向の力が加わって、図４４（ｃ）に示すように、中心部材１１にスナップ固定された係合部材４６が離脱する。
【００３１】
また、昇降コード５Ｃとそれ以外の昇降コード５Ｒ，５Ｌの間の空間に異物が挟まった場合、昇降コード５Ｃに対して図４３（ａ）の紙面垂直方向（図４５（ａ）の矢印Ｘ３方向）の荷重が加わる場合がある。この荷重は、係合部材４５，４６が中心部材１１から分離される方向に垂直であるので、この方向に荷重が加わった場合、係合部材４５，４６は中心部材１１から比較的離脱しにくい。しかし、中心部材１１の中心軸１１ｇが係合部材４５，４６に当接する面は円弧状になっているので、図４５（ａ）〜（ｃ）に示すように、中心部材１１に加わった矢印Ｘ３方向の力は領域Ｃ１において矢印ＸＲ方向の力に変換されて係合部材４５に伝達されて係合部材４５を離脱させ、領域Ｃ２において矢印ＸＬ方向の力に変換されて係合部材４６に伝達されて係合部材４５を離脱させる。
【００３２】
図４６（ａ）は、スリット１１ｔに追加の昇降コード５Ｒ１を係止させ、スリット１１ｖに追加の昇降コード５Ｌ１を係止させた状態を示す。昇降コード５Ｃ，５Ｒ，５Ｌは、係合部材４５，４６が中心部材１１から離脱した状態でも中心部材１１又は係合部材４５，４６に係止されているので、中心部材１１又は係合部材４５，４６が図１及び図４７に示す昇降コード導出部７に当接することによって昇降コード５Ｃ，５Ｒ，５Ｌの先端がヘッドボックス１内に引き込まれてしまうことがない。一方、昇降コード５Ｒ１，５Ｌ１は、係合部材４５，４６が中心部材１１から離脱した状態では何れの部材にも固定されていないので、昇降コード５Ｒ１，５Ｌ１の先端がヘッドボックス１内に引きこまれてしまう恐れがあり、この場合、昇降コード５Ｒ１，５Ｌ１を再度コードイコライザー８に係止させるのに手間がかかる。そこで、本変形例では、スリット１１ｔ，１１ｖに係止される昇降コード５Ｌ１，５Ｒ１に対してボックス内進入防止部材５ｂを取り付けている。ボックス内進入防止部材５ｂは、一例では、４６（ｂ）に示すように、貫通孔５ｂ１を有し且つ昇降コード導出部７によって係止可能な球状体であり、昇降コード５Ｌ１，５Ｒ１が貫通孔５ｂ１に挿通される。ボックス内進入防止部材５ｂは、昇降コード５Ｌ１，５Ｒ１に沿って相対移動可能になっており、昇降コード５Ｌ１，５Ｒ１がコードイコライザー８に取着されているときは、図４６（ａ）に示すようにコードイコライザー８の上面で係止され、昇降コード５Ｌ１，５Ｒ１がコードイコライザー８から外れた状態では図４６（ｂ）に示すように係止部５ａで係止される。
【００３３】
ところで、プリーツスクリーンのようにコードイコライザー８が昇降コード導出部７に係止されることによってボトムレール２の下限位置が決定されるタイプの日射遮蔽装置がある。このような日射遮蔽装置の昇降コード５の数が４本の場合、昇降コード５Ｃ，５Ｒ，５Ｌ，５Ｒ１が設けられ、昇降コード５Ｒ１にはボックス内進入防止部材５ｂを設けられる。この状態で、ボトムレール２を下限位置にまで下げると、図４７（ａ）に示すように、コードイコライザー８の右側ではボックス内進入防止部材５ｂが昇降コード導出部７に当接し、コードイコライザー８の左側ではコードイコライザー８の上面が昇降コード導出部７に当接するために、コードイコライザー８が傾斜してしまい、美感を害する。また、この傾斜によってボトムレール２も傾斜してしまう。なお、図４７（ａ）では、昇降コード５Ｒは図示していない。
【００３４】
このような問題を防ぐために、ボックス内進入防止部材５ｂが設けられている昇降コード５Ｒ１とは昇降コード５Ｃを挟んで反対側にある昇降コード５Ｌ、及び／又は中央の昇降コード５Ｃにもボックス内進入防止部材５ｂを設けてもよい。これによって図４７（ｂ）に示すように、ボトムレール２を下限位置に下げた場合でもコードイコライザー８の傾斜を抑制することができる。
【００３５】
本変形例は、以下の態様での実施可能である。
・本変形例のコードイコライザーは、最大７本の昇降コードが保持可能に構成されているが、８本以上の昇降コードを保持可能に構成してもよい。保持可能な昇降コードの数を増やす方法としては、昇降コードを収容するためのスリットの数を増やしたり、１つのスリットの数に収容する昇降コードの数を増やしたりする方法が挙げられる。
【００３６】
（第２実施形態）
本発明の第２実施形態は、第１実施形態の変形例３に類似した構成を有しており、コードイコライザー８の構成が異なっていることが主な差異点である。以下、本実施形態のコードイコライザー８について詳細に説明する。
【００３７】
図９〜図１０に示すようにコードイコライザー８の外観は略円筒形状を呈しており、外観上、第１ケース６９、第２ケース７０、スライド部材７１、コード保持部材７２を備えている。第１ケース６９と第２ケース７０はスナップ等による嵌合、又はねじ込みによる螺合等によって、それぞれのケース同士が一体となるように固定される構造となっている。第１ケース６９の上部は円形状の繰り抜きがされており、その繰り抜き部分から、スライド部材７１及びコード保持部材７２が上方向に突出するように配置されている。なお、コード保持部材７２にはコードガイド部７３（図では６箇所）を備え、昇降コード５をこのコードガイド部７３に沿って挿通するように形成されている。また、第２ケース７０の底面にはスリット状の操作コード挿通孔７４を備え、操作コード挿通孔７４に操作コード１０を挿通させる。
【００３８】
次に図１１〜図１６を用いてコードイコライザーの各構成を説明する。
【００３９】
図１１〜図１３に示すように、第１ケース６９は上下方向が開口された円筒形状を呈しており、その内部には第１空間部７５を有しており、後述するスライド部材７１及びバネ７７を収容している。また、第１ケース６９の側面上部側には開口内径方向に突出したフランジ係止部８３を備えている。更に側面下部側には第２ケース７０とスナップ等による嵌合、又はねじ込みにより螺合する部分を備えている。
【００４０】
第２ケース７０は略円筒形状を呈しており、その上部は円形に開口されており、下部は底面を有している。第２ケース７０の内部には第１空間部７５よりもやや狭い第２空間部７６を有しており、第１空間部と接する上部面が後述するバネ７７が載置されるバネ係止部７９として構成されている。この第２空間部７６は上部が開口により開放され、また下部側にあたる底面には長方形状を呈した操作コード挿通孔７４と導通されており、操作コード挿通孔７４に操作コード１０を挿通可能としている。なお、操作コード１０は底面下部側から操作コード１０の端部を第２空間部７６内に突出させて、その端部に結び目、かしめ等を備えることによって、第２ケース７０と操作コード１０が固定されるように構成されている。また、第２ケース７０の第２空間部７６の上部開口側には、係合軸８４が開口の直径上を横断するように配置されており、その断面は略四角形状を有している。
【００４１】
図１１、図１４〜図１５に示すように、スライド部材７１は略円筒形状を呈しており、第１ケース６９の第１空間部７５内から第１ケース６９の上部開口側に突出するようにスライド部材７１を配置させている。スライド部材７１は上部側、下部側ともに円形の開口を有し、その内部には第３空間部８０を有しており、後述するコード保持部材７２を収容している。スライド部材７１の外側面上下方向の略中央には、外側面の外側方向に突出したフランジ８１が側面円周上に環状に形成されており、そのフランジ８１の突出面は、第１ケース６９の第１空間部７５側である内面と上下方向に摺動可能に接している。フランジ８１の上面側は第１ケース６９のフランジ係止部８３と当接することによって、第１ケース開口からの抜けを防止している。更に、スライド部材７１の下部側開口部分にはその開口の直径上を横断するようにアールを掛け断面が円柱形状を呈するスライド軸７８が形成されており、前述の係合軸８４と同一直線方向状に配置されている。また、スライド部材７１の上部側面の上端部には第２空間部７６面側から開口外側に向かうようにアールの掛かったコード加重検知部８２を有している。加えて、スライド部材７１の側面の外径は、フランジ８１を境にして上部側に位置する側面の径よりも下部側に位置する側面の径の方が小さくなるように形成されている。このように構成することで、後述するバネ７７の内径部分にこのスライド部材７１の下部側に位置する側面が入り込むように配置されることが可能となる。なお、スライド部材７１が第１ケース６９から突出されている上下方向の長さと、第１空間部７５内でのスライド部材７１下面からバネ係止部７９までの空間部の上下方向の長さは略同一の長さとなるように構成されている。
【００４２】
図１１に示すように、第１空間部７５内には付勢部材となるバネ７７が配置されている。バネ７７の内径部分には、スライド部材７１の下部側に位置する側面がバネ７７の上下方向略中央まで入り込み、更にその内側には後述するコード保持部材７２がその上下方向に渡って入り込むように配置されている。バネ７７の下部は第２ケース７０のバネ係止部７９上に載置されるように係止され、その上部はスライド部材７１のフランジ８１の下面に係止されるように配置されている。このようにバネ７７を配置させることで、スライド部材７１はバネ７７の付勢力でケース６９、ケース７０から離れる方向となる上方に押し上げられ、フランジ８１とフランジ係止部８３が当接する位置で保持されるような配置状態となっている。なお、バネ７７の付勢力はフランジ８１が第１ケース６９のフランジ係止部８３と当接する程度の力でよい。
【００４３】
図１１、図１６に示すコード保持部材７２は、その上部に円柱形状からなる円柱部８５と、円柱部８５の底面から突出するように一対の弾性アーム８６をその下部に有している。円柱部８５の径はスライド部材７１の第３空間部８０側である内面と上下方向に摺動可能に接するような径としている。また、円柱部８５の上面はスライド部材７１の側面上部（コード加重検知部８２）と同一面上になるよう配置され、その下面は第３空間部８０内に収まる位置としている。なお、図中では６箇所の上下方向溝を形成したコードガイド部７３を備えており、このコードガイド部７３の上部側から昇降コード５の端部を挿通してコードガイド部７３の下部から昇降コード５を突出させて結び目、かしめ等を構成させる。コードガイド部７３の規制がない外縁側にはスライド部材７１が配置されているため、昇降コード５はコードガイド部７３とスライド部材７１によって周囲が規制され、結果としてコード保持部材７２と昇降コード５が固定されるように構成されている。本実施形態では６箇所のコードガイド部７３が形成されているため、最大６本の昇降コードをそれぞれのコードガイド部７３に挿通することができる。
【００４４】
このように、コード保持部材７２は、図１７に示すように、コード保持部材７２が第２ケース７０に係合している状態では複数本の昇降コード５を保持してループ構造を形成し、図２０に示すように、コード保持部材７２と第２ケース７０との係合が解除された状態では昇降コード５がコード保持部材７２から分離されてループ構造が解除されるように構成されている。なお、コード保持部材７２と第２ケース７０との係合が解除された状態では、全ての昇降コード５がコード保持部材７２から分離されるようにしてもよいが、その場合、コード保持部材７２を紛失してしまいやすいので、複数本の昇降コード５のうち１本は、非係合時にもコード保持部材７２によって保持されるように構成することが好ましい。そのために、本実施形態では、図１６に示すように、複数のコードガイド部７３のうちの一つにのみ、非係合時にも昇降コード５を保持するコード固定部８９を設けている。
【００４５】
コード保持部材７２の一対の弾性アーム８６は左右方向へ開閉するような弾性力を有しており、第１空間部７５内から第３空間部８０にわたって上下方向に構成されている。一対の弾性アーム８６にはそれぞれの先端部分に、先端に向かって一対の弾性アーム８６間の距離が広がるようにテーパの付いた係止部８７を有している。この係止部８７によって第２ケース７０の係合軸８４を左右から挟み込むように係合させることで、コード保持部材７２と第２ケース７０は一体となるよう係合されている。また、弾性アーム８６は、弾性アーム８６の上下方向中央よりやや下部で、かつ弾性アーム８６の内側面に配置され、中心方向に突出しテーパの付いた凸部８８を備えている。なお、一対の弾性アーム８６間で凸部８８と弾性アーム８６の付け根の間の空間には、スライド軸７８を配置させている。
【００４６】
次にコードイコライザーの作用を図１７〜図２０を用いて説明する。なお、本実施形態では昇降コード５は２本使用したものを例示しているが、３本以上であってもよい。また、２本の昇降コード５は、どちらも、コード固定部８９がないコードガイド部７３に装着されている。また、各図において、操作コード１０の図示は省略している。
【００４７】
図１７は、コードイコライザー８が操作時に使用されているような通常の状態を示す図である。この状態において、２本の昇降コード５がヘッドボックス１（不図示）から垂下され、各昇降コード５の端部にコードイコライザー８が接続されている。各昇降コード５には、コードガイド部７３よりも幅広の係止部５ａが設けられており、昇降コード５をコードガイド部７３に収容し、係止部５ａをコードガイド部７３の端面で係止させることによって、昇降コード５がコードガイド部７３から抜けないようになっている。この状態において両昇降コード５は略平行に垂下しており、かつ、昇降コード５間に隙間が実質的に存在していない状態である。
【００４８】
次に、図１８は、昇降コード５間に何らかの原因で異物や人体等が挟まってしまった異常発生時のコードイコライザー８の状態を示す図である。この異常発生時では、異物等（不図示）が昇降コード５間で、コードイコライザー８の上部に存在している状態となっている。そのような状態の場合、昇降コード５間の異物等の存在によって、昇降コード５は、図に示すように左右方向に拡開されるとともに、図中の矢印Ａ方向の力が加わり、この力が昇降コード５の端部に接続されたコードイコライザー８に伝わる。
【００４９】
このとき、昇降コード５がスライド部材７１のコード加重検知部８２に当接し、その当接部分を支点としてコード保持部材７２を図中の矢印Ａの方向へ引く力が働くが、昇降コード５はコード保持部材７２によって強固に接続保持されているためコードイコライザー８から抜け外れることがなく、更にコード保持部材７２も係止部８７と係合軸８４との係合によってコードイコライザー８から抜け外れることはない。
【００５０】
そのような接続、係合状態において、昇降コード５が当接されたコード加重検知部８２が支点となり、図１８〜図１９に示すように、バネ７７の付勢力で上方に押し上げられているスライド部材７１を、付勢力に反して図中矢印Ｂの方向となる第１空間部７５内の方向に押し込む。
【００５１】
昇降コード５がスライド部材７１を第１空間部７５内の方向に押し込むと、スライド部材７１に備えるスライド軸７８も同時に同方向に移動する。この移動によってスライド軸７８はコード保持部材７２の弾性アーム８６に備えるテーパ状の凸部８８に当接する。この当接によって、弾性アーム８６は左右方向（矢印Ｃ方向）に押されるように広がる。この弾性アーム８６の左右方向の広がりによって、弾性アーム８６の先端の係止部８７も左右方向に広がり、第２ケース７０に備える係合軸８４との係合が外される。
【００５２】
係止部８７が係合軸８４から外れることで、コード保持部材７２と第２ケース７０とが分離される。分離されたコード保持部材７２は、昇降コード５により第１ケース６９の上方方向（図１９の矢印Ｄ方向）への力が働いていることで、図１９〜図２０に示すようにコード保持部材７２が第１ケース６９及び第２ケース７０から抜け外れる。更に、コード保持部材７２のみが抜け外れることで、コードガイド部７３外縁側に昇降コード５が抜け出ることを規制していたスライド部材７１がないことで、昇降コード５はコード保持部材７２から外れる。
【００５３】
ユーザーは、通常、コードイコライザー８自体を把持してコードイコライザー８を引き下げるか、又は操作コード１０を把持して操作コード１０を引き下げることによって、昇降コード５の引き下げ操作を行う。どちらの方法で操作を行う場合でも、複数本の昇降コード５が互いに略平行になった状態でコードイコライザー８に下向きの荷重が加わるものであり、コード保持部材７２と第２ケース７０の間の係合を解除させる力が加わらず、ユーザーの操作中にコード保持部材７２が外れることがない。また、コードイコライザー８を把持して引き下げる際には、コードイコライザー８の上面に力が加わりやすいので、この面においてコードイコライザー８が図４（ｂ）に示すように周方向に複数部材Ａ，Ｂ，Ｃに分割されていると、例えば部材Ａのみに力が加わったときに部材Ａが不意に分離されてしまう。一方、本実施形態によれば、コードイコライザー８を構成する複数の部材がコードイコライザー８の上面において同心円状に分割されており、周方向に分割されていないので、このような不意な分割が生じない。また、ユーザーがコードイコライザー８の上面に指を置いて、コード保持部材７２とスライド部材７１の両方を図１８の矢印Ｂ方向に押し込んだ場合、図１８のスライド軸７８と凸部８８が一緒に下降することになり、コード保持部材７２と第２ケース７０との係合が解除されない。ユーザーがコード保持部材７２の周辺にあるスライド部材７１に指を引っ掛けて、スライド部材７１のみを図１８の矢印Ｂ方向に所定量押し込んだ場合には、コード保持部材７２と第２ケース７０との係合が解除されてしまう場合があるが、このような不自然な動作ではコード保持部材７２と第２ケース７０との係合が解除される程度にまでバネ７７の付勢力に逆らってスライド部材７１を押し込むことは容易ではないので、結局、通常の操作時には、コード保持部材７２は第２ケース７０から分離されることは事実上起こらない。このように、本実施形態のコードイコライザー８は、操作時に不意に分割されることがなく、操作性に優れている。
【００５４】
本実施形態は、以下の実施態様でも実施することができる。
・コード加重検知部はアールを掛ける構造としているが、例えばアールではなくローラー等のガイドが可能な部材によって構成させてもよい。
・コードイコライザーに昇降コードが６本以上接続可能となるよう、コードガイド部を６箇所以上コード保持部材に形成してもよい。
【００５５】
（第２実施形態の変形例１）
本発明の第２実施形態の変形例１は、第２実施形態に類似した構成を有しており、コードイコライザー８の構成が異なっていることが主な相違点である。以下、本変形例のコードイコライザー８について詳細に説明する。
本変形例では、スライド軸７８は、一対の弾性アーム８６の間に配置し、スライド軸７８のスライド移動によって一対の弾性アーム８６の間の間隔を広げることによって、一対の弾性アーム８６と係合軸８４との間の係合を解除させていたが、本変形例では、図２１に示すように、スライド軸７８を一対の弾性アーム８６の外側に隣接して配置する。図２１に示す通常時の状態では、一対の弾性アーム８６の外側に隣接してスライド軸７８が配置されているので一対の弾性アーム８６の広がりが抑制されている。このため、一対の弾性アーム８６と係合軸８４の間の係合の保持力が大きい。一方、複数の昇降コード５が拡開される方向に昇降コード５に荷重が加わってスライド部材７１が第２ケース７０の方向にスライド移動すると、スライド軸７８が図２１の矢印Ｘの方向にスライド移動し、一対の弾性アーム８６の広がりの抑制が解除される。その結果、一対の弾性アーム８６と係合軸８４の間の係合の保持力が低減され、昇降コード５に加わる荷重が閾値を超えると、コード保持部材７２が第２ケース７０から分離される。
【００５６】
（第２実施形態の変形例２）
本発明の第２実施形態の変形例２は、第２実施形態の変形例１に類似した構成を有しており、実質的に同様の原理によってコード保持部材７２が第２ケース７０から分離されるが、コード保持部材７２と第２ケース７０の間の係合構造及びスライド部材７１の構造が相違している。以下、図２２〜図３０を用いて、相違点を中心に説明を進める。なお、各斜視図においては、バネ７７は、適宜、図示を省略している。
【００５７】
図２２〜図２３に示すように、第２ケース７０には、第２ケース７０の内面から突出し且つ第２ケース７０の径方向中央に向かって上側に傾斜するテーパ面９１ａを備える傾斜係合部９１が設けられている。コード保持部材７２は、先端に係止部８７を有する弾性アーム８６を備えており、係止部８７の上面がテーパ面９１ａに当接することによってコード保持部材７２が第２ケース７０に係合している。また、弾性アーム８６を挟んでテーパ面９１ａとは反対側には、スライド部材７１の傾斜スライド部９２が設けられている。傾斜スライド部９２には、弾性アーム８６に向かって上側に傾斜するテーパ面９２ａが設けられている。傾斜スライド部９２は、第２実施形態の変形例１のスライド軸７８と同様の機能を有しており、図２２に示すように、傾斜スライド部９２の先端が弾性アーム８６の背面（係止部８７とは反対側の面）に隣接している位置にある状態では、弾性アーム８６の弾性変形が抑制されているので、コード保持部材７２に上向きの強い力が加わったとしても、コード保持部材７２と第２ケース７０の間の係合が解除されない。一方、複数の昇降コード５が拡開される方向に昇降コード５に荷重が加わってスライド部材７１が第２ケース７０の方向にスライド移動すると、傾斜スライド部９２が図２２の矢印Ｘ方向に移動し、点線９２ａで示す位置に到達すると、弾性アーム８６の弾性変形の抑制が解除される。その結果、弾性アーム８６とテーパ面９１ａの間の係合の保持力が低減され、昇降コード５に加わる荷重が閾値を超えると、コード保持部材７２が第２ケース７０から分離される。
【００５８】
コード保持部材７２が昇降コード５を保持する機構は第２実施形態と類似しているが、本実施形態では、図２４に示すように、複数のコードガイド部７３のうちの１つのコード固定部８９が設けられていて、その他のものには、コード仮止め部７３ａが設けられている。本実施形態では、コード仮止め部７３ａは、コードガイド部７３の幅を昇降コード５の直径よりもわずかに狭くなるように狭めることによって構成されている。コード仮止め部７３ａは、コードイコライザー８の組み立て時に、昇降コード５をコードガイド部７３に仮止めすることによって組み立て性を向上させるためのものであり、昇降コード５を弱く保持する。このため、複数の昇降コード５が拡開される方向に昇降コード５に荷重が加わってコード保持部材７２が第２ケース７０から分離されると、その時に昇降コード５に加わっている荷重によって昇降コード５はコード仮止め部７３ａによる保持力に逆らってコードガイド部７３から脱離する。
【００５９】
図２４に示すように、コード保持部材７２は、コードガイド部７３が設けられるコード保持部７２ａと弾性アーム８６の間に、スライド部材７１のスライド方向に略垂直な隔壁９３が設けられ、隔壁９３には、弾性アーム８６側にリブ９４が立設される。隔壁９３の外周形状は、スライド部材７１の内周形状と略一致しており、図２３に示すように、隔壁９３とスライド部材７１の間にほぼ隙間がない状態になっている。リブ９４は、図２３（ｂ）に示すように、弾性アーム８６がテーパ面９１ａに係合している状態よりも、コード保持部材７２をさらに押し込もうとしたときに第２ケース７０の上部当接面７０ａに当接して、それ以上の押し込みを妨げる機能を有する。リブ９４がない場合、図２３（ｂ）に示す状態から、コード保持部材７２をさらに押し下げることができ、この場合、台座９３とスライド部材７１の間に隙間が空き、その隙間に昇降コード５やその先端の係止部５ａが挟まって誤動作を生じさせてしまう恐れがある。そこで、本変形例ではリブ９４を設けることによって、このような誤動作が生じないようにしている。
【００６０】
また、図２５（ａ）に示すように、スライド部材７１及びコード保持部材７２には、それぞれ、目印７１ａ，７２ｂが設けられており、コード保持部材７２をスライド部材７１内に挿入する際に、これらの目印７１ａ，７２ｂを用いることによって回転方向の位置合わせを容易に行うことができる。
【００６１】
次に、図２７を用いて、第１ケース６９と第２ケース７０の間の係合構造について説明する。第１ケース６９は、第２ケース７０との当接面６９ｃに隣接した位置の内周に傾斜部６９ａとそれに続く係合凹部６９ｂを備える。第２ケース７０は、第１ケース６９との当接面７０ｃに隣接した位置の外周にテーパ面９６ａを有する保持部９６と、係合凸部７０ｂを備える。係合凸部７０ｂは、保持部９６と当接面７０ｃの間に設けられる。当接面６９ｃと当接面７０ｃを近接又は接触させた状態で第１ケース６９を矢印Ｒ方向に回転させると、傾斜部６９ａがテーパ面９６ａによって係合凸部７０ｂの方向に導かれると共に、係合凸部７０ｂが傾斜部６９ａの斜面に沿って係合凹部６９内に導かれて、係合凸部７０ｂと係合凹部６９ｂが係合し、第１ケース６９は、第２ケース７０に対して相対回転不能となる。また、この状態では、傾斜部６９ａは、保持部９６と当接面７０ｃの間に挟まれているので、第１ケース６９は、第２ケース７０に対して軸方向にも分離不能となる。第１ケース６９と第２ケース７０の間の係合をネジ式にした場合、通常操作中にコードイコライザー８の回転によって第１ケース６９と第２ケース７０の間の係合が解除されてしまう恐れがあるが、本変形例であれば、第１ケース６９と第２ケース７０の間の係合が不意に解除されることを防ぐことができる。なお、本変形例では、第１ケース６９と第２ケース７０は、周方向に均等に（１８０度間隔で）２箇所で係合させているが、係合させる箇所の数や位置は特に限定されない。また、第１及び第２ケース６９，７０に形成する凹凸を逆転させてもよい。
【００６２】
次に、図２８〜図２９を用いて、セーフティー機能を有さない従来のコードイコライザーを、本変形例のコードイコライザー８に付け替える作業について説明する。
付け替えの前提として第１ケース６９、第２ケース７０、スライド部材７１、バネ７７は予め一体化されたパーツ（以下「パーツ」）となっていて分解不可能であり、ユーザーは上記パーツに操作コード１０の装着、コード保持部材７２の装着（コード保持部材７２への昇降コード５の装着を含む。）を行う。
【００６３】
操作コード１０の挿通は、図２８に示すように、パーツにコード保持部材７２を装着していない状態で行う。まず、操作コード１０をパーツ底面の操作コード挿通孔７４に挿入する。次に、操作コード１０をそのまま挿入し続け、傾斜係合部９１と傾斜スライド部９２の間の隙間Ｇに挿入する。傾斜係合部９１と傾斜スライド部９２は、それぞれ、操作コード挿通孔７４側に、テーパ面９１ａ，９２ａを有しており、操作コード１０は、テーパ面９１ａ，９２ａによって隙間Ｇに導かれる。次に、パーツ上面の開口側まで操作コード１０を引き出して、結び玉（係止部１０ａ）を作る。次に、操作コード１０を引き戻して操作コード挿通孔７４の上面位置に結び玉を位置させる。なお、図２８〜図２９に示すように、傾斜係合部９１は、パーツ上面の開口側にもテーパ面９１ｂを備えており、これによって、結び玉を傾斜係合部９１と傾斜スライド部９２の下側に移動させる際に、結び玉が隙間Ｇに導かれる。
【００６４】
（第３実施形態）
第１〜第２実施形態は、コードイコライザー８が昇降コード５の末端を保持し、コードイコライザー８に操作コード１０を接続する構成に関するものであったが、本実施形態では、図３０に示すように、昇降コード５の末端は、第１実施形態と同様の構成を有するボトムキャップ６によって保持され、コードイコライザー８は、昇降コード導出部７から所定距離下方位置で昇降コード５に対して保持されている。
以下、本実施形態のコードイコライザー８の構成を詳細に説明する。
【００６５】
本実施形態に用いられるコードイコライザー８は、図３１（ａ）に示すように略円柱状に形成され、上部に挿通溝５１が垂直方向に形成され、挿通溝５１から下方へ向かい昇降コード５を挿通可能となっている。図３１（ｂ）及び（ｄ）に昇降コード５を３本挿通した状態を示す。このコードイコライザー８は、図３２（ａ）及び（ｂ）に示すイコライザー本体５０と、図３２（ｃ）に示すカバー５３（板バネ）の２部材から構成され、好ましくは合成樹脂により形成される。
【００６６】
イコライザー本体５０は上部に略円錐台形の上部挿通部６６、下部に略円錐台形の下部挿通部６７が形成され、上下方向の中間部にはカバー５３の内周面６３の径より細径の円柱状の接続部５７が上下方向に形成され、上部保持部６６と下部挿通部６７とが一体として形成されている。図３２（ｂ）に示す通り、接続部５７には板状の接続壁６８が垂直に形成され、下部挿通部６７と一体となっている。下部挿通部６７には、第２通過孔１４が形成され接続壁６８で２箇所に隔てられている。昇降コード５は、図３１（ｄ）に示すように１つの第２通過孔１４に３本を挿通可能となっている。
【００６７】
図３２（ａ）に示す通り、イコライザー本体５０の上部挿通部６６には、外周に向けて放射状に６本の挿通溝５１が形成されている。各挿通溝５１の幅は昇降コード５の直径より僅かに幅広であり、図３１（ｄ）に示すように昇降コード５を挿通可能となっている（この例では最大６本）。昇降コード５の本数が６本未満の場合には、選択的に使用可能である。図３２（ｂ）、図３３（ａ）に示すように、上部挿通部６６の挿通溝５１の基端側の下面５５は水平に形成されている。また、挿通溝５１の先端側に向かってテーパ面５４が形成されている。
【００６８】
図３２（ｃ）に示す通り、カバー５３は開閉端５８をもつ筒状の板バネであり弾性変形可能となっている。カバー５３の上下端縁にはテーパ５９、６１が形成され、上下対称形となっている。イコライザー本体５０の上部挿通部６６には、カバー５３のテーパ５９に対応する傾斜で、テーパ面５４が形成され、イコライザー本体５０の下部挿通部６７には、カバー５３のテーパ６１に対応する傾斜で、テーパ面５６が形成されている。従って、カバー５３は上下勝手がなく容易に組み付けることができる。図３２（ａ）に示すように、下部挿通部６７の上部には円筒状に立設される内周当接部６２が形成され、内周当接部６２の周面はカバー５３の内周面６３に対応する直径となっている。また、図３２（ａ）に示すように接続壁６８の一方はイコライザー本体５０の外周に連なるように回り止め５２として形成されており、カバー５３を組み付けた状態で開閉端５８が回り止め５２の両側から当接し、イコライザー本体５０に対しカバー５３が相対回転しないようになっている。組み付けた状態で相対回転せず、挿通溝５１と開閉端５８の位置をずらしている為、昇降コード５が開閉端５８の間に位置することは無く、不用意に昇降コード５が開閉端５８の間からすり抜けてしまうことが防止される。
【００６９】
イコライザー本体５０にカバー５３を組み付けるには、開閉端５８を図３２（ｄ）矢印Ｇ方向に向けて弾性的に開きながら、内周当接部６２を乗り越えるように嵌め込む。すると、カバー５３は板バネであり上下にテーパ５９、６１を備えているため、対応する形状のイコライザー本体部分に誘われて、ぴったりとはまり込む。回り止め５２に開閉端５８が重なってしまった場合には、カバー５３を若干回動させることにより、正規の組み付け状態にすることができる。
【００７０】
図３３（ａ）に示すように、組み付けた状態で、カバー５３の内側にはイコライザー本体５０とで囲われる内部空間（係止部収容部）１５が生成され、内部空間１５には結び玉（突起物、係止部）６０が収容可能となっている。各結び玉６０は各挿通溝５１の幅より大きく、各第２通過孔１４の径方向の幅よりも大きい。尚、組み付けた状態で、内周面６３と各挿通溝５１との間で第１通過孔１３が生成されている。図３１（ｃ）に示す通り、第１通過孔１３から第２通過孔１４まで連通され、図３１（ｂ）及び（ｄ）に示すように昇降コード５を垂直に挿通可能となっている。
【００７１】
このコードイコライザー８を、ユーザーが把持して下方に引っ張ることにより昇降コード５を引き下げて、遮蔽状態を調節することができる。また、コードイコライザー８より下方の昇降コード５を引っ張っても第２通過孔１４から結び玉６０は抜け出ることは無く引っ張り操作が可能である。図３３（ａ）に示すように、昇降コード５の長手方向にコードイコライザー８が引っ張られ矢印Ａ方向の力が作用すると、その反作用で昇降コード５に上向きの張力が発生し下面５５を介して結び玉６０に圧力が加わるが、下面５５は水平面であるため結び玉６０は動かず昇降コード５を引き下げることが可能である。なお、下面５５は、結び玉６０を保持する係止部保持面として機能するように構成されていればよく、水平面以外にも、イコライザー本体５０の径方向内側に向かうテーパ面であってもよい。このように複数の昇降コード５を互いに略平行にした状態でコードイコライザー８に下向きの荷重を加えた場合、コードイコライザー８の保持構造によって結び玉６０が保持されて、昇降コード５の引き下げが可能となる。このように、本実施形態のコードイコライザー８は、コードイコライザー８自体を把持してコードイコライザー８を引き下げることによって昇降コード５の引き下げ操作を行ってもよく、昇降コード５の、コードイコライザー８より下方の部分を引き下げることによって、昇降コード５の引き下げ操作を行ってもよい。どちらの方法で操作を行う場合でも、複数本の昇降コード５が互いに略平行になった状態でコードイコライザー８に下向きの荷重が加わるものであり、結び玉６０を離脱させる力が加わらず、ユーザーの操作中に結び玉６０が離脱することがない。また、コードイコライザー８を把持して引き下げる際には、コードイコライザー８の上面に力が加わりやすいので、この面においてコードイコライザー８が図４（ｂ）に示すように周方向に複数部材Ａ，Ｂ，Ｃに分割されていると、例えば部材Ａのみに力が加わったときに部材Ａが不意に分離されてしまう。一方、本実施形態によれば、コードイコライザー８を構成する複数の部材がコードイコライザー８の上面において周方向に分割されていないので、このような不意な分割が生じない。このように、本実施形態のコードイコライザー８は、操作時に不意に分割されることがなく、操作性に優れている。
【００７２】
図３４（ａ）に示すような状態で、異物Ｗにより所定荷重Ｃが作用すると、図３３（ｂ）に示すように、複数の昇降コード５が（ここでは２本で説明するが）互いに拡開する方向Ｃ３ａ、Ｃ３ｂへの引っ張り力が作用する。各挿通溝５１から昇降コード５がはみ出し、昇降コード５に発生する張力に伴う矢印Ｅ１，Ｅ２方向の分力によりカバー５３上部のテーパ５９を弾性に抗して広げる。また、２つの結び玉６０も水平面に沿って互いに離れる方向（径方向外側方向）へ移動する。結び玉６０がテーパ面５４に達し、内周面６３を押し広げて図３３（ｃ）に示すように内部空間１５から離脱する。離脱した後も、第２通過孔１４には昇降コード５が挿通された状態は保たれる。このようにして、コードイコライザー８と昇降コード５とが相対移動可能となり、図３３（ｃ）に示す矢印Ｆ方向にコードイコライザー８が移動することができる。そして、図３４（ｂ）に示す位置までコードイコライザー８は昇降コード５に沿って下方へ移動する。この状態からさらに張力が作用していればボトムキャップ６から昇降コード５が外れるが、その作用は第１実施形態と同様である。このように、複数の昇降コード５を互いに拡開させる方向に昇降コード５に荷重が加わった場合、コードイコライザー８の保持構造による結び玉６０の保持が解除されて、コードイコライザー８が昇降コード５に対して相対移動可能になり、昇降コード５とコードイコライザー８によって形成されるループ構造の長さが増大して安全が確保される。
【００７３】
図３４（ｂ）に示すような状態から、操作可能な状態に復帰させるには、コードイコライザー８を昇降コード５に沿って結び玉６０の位置まで上昇させカバー５３を若干広げながらテーパ５９に沿って内部空間１５に導入すればよく復帰作業は容易である。
【００７４】
尚、図３３（ｂ）のような斜角ではなく、図３３（ｄ）に示すように昇降コード５に正反対方向Ｃ４ａ、Ｃ４ｂ方向への所定の張力が作用した場合でも、カバー５３はＥ１、Ｅ２の方向に弾性的に広げられ、結び玉６０は内部空間１５から離脱する。
【００７５】
また、荷重のバランスによっては全ての結び玉が一斉に離脱するとも限らない。昇降コード５に下向きの力Ｃが偏って作用し、例えば図３５（ａ）に示すように、一方の昇降コード５ａの結び玉６０が離脱すると共に、結び玉６０が離脱していない昇降コード５ｂへ異物Ｗの荷重Ｃが作用する場合がある。このようなケースでは、図３５（ｂ）に示すように、昇降コード５ｂがヘッドボックス１から引き出されることにより、ボトムレール２及びスラット（遮蔽材）３が傾斜しながら一定量持ち上がる。そして、ボトムレール２の傾斜が大きくなるに従って昇降コード５ｂに加わる張力が大きくなり、この張力が所定値に達すると、昇降コード５ｂの結び玉６０がカバー５３を押し広げて内部空間１５から離脱し、図３４（ｂ）に示すような状態となる。
【００７６】
また、昇降コード５に下向きの力Ｃが偏って作用し、図３６（ａ）に示すように、一方の昇降コード５ｂの結び玉６０が離脱し、図３６（ｂ）に示すように離脱した側の昇降コード５ｂへ異物Ｗの荷重Ｃが作用する場合もあるが、このようなケースにおいても、以下に示す作用によって、安全性が確保される。コードイコライザー８は、離脱していない昇降コード５ａの結び玉６０の場所に位置したまま、離脱した側の昇降コード５ｂとコードイコライザー８とが相対移動し、図３６（ｃ）に示すように、昇降コード５ｂの、コードイコライザー８よりも下側の部分がコードイコライザー８の上側に引き上げられ、昇降コード５ｂの、コードイコライザー８とボトムキャップ６の間にある部分の長さが短くなる。そして、異物Ｗの位置が下がるにつれて、昇降コード５ｂに加わる張力が大きくなる。そして、この張力が所定値に達すると、図３６（ｄ）に示すようにその昇降コード５ｂの端部がボトムキャップ６から外れ、異物Ｗに対し無負荷の状態となる。図３６（ｄ）に示すような状態から、操作可能な状態に復帰させるには、コードイコライザー８の第１通過孔１３に昇降コード５を挿入し第２通過孔１４から引き出す。昇降コード５に沿って結び玉６０の位置まで相対移動させ、カバー５３を若干広げながら結び玉６０をテーパ５９に沿って内部空間１５に導入すればよい。復帰作業を容易に行うことがある。
【００７７】
（第６実施形態の変形例１）
第６実施形態では、結び玉（突起物）６０をコードイコライザー８の外周方向に移動しないようにカバー（板バネ）５３を設けたが、本変形例では、カバー５３ではない保持手段としてイコライザー本体にスナップ保持する構成とした。図３７に示すように、昇降コード５を挿通する第１通過孔１３よりも外周方向に昇降コード直径より狭い部分を設けてスナップとする。具体的には、図３７（ｃ）に示す、挿通溝５１に設けた突条６５、６５の間の狭い空間を設ける。このような構成とすることにより、第６実施形態と同様、図３７（ｅ）に示すようにコードイコライザー８の引っ張り操作時には特段ユーザーが指等で押圧することなく昇降コード５とコードイコライザー８とが十分に保持される。また、図３７（ｆ）に示すように複数の昇降コード５の拡開する方向Ｃ３ａ、Ｃ３ｂへの引っ張り力が作用したとき、挿通溝５１の突条６５、６５の間から昇降コード５が抜け出し、結び玉６０が離脱しコードイコライザー８と昇降コード５とが相対移動可能となる。
【００７８】
（第６実施形態の変形例２）
本変形例のコードイコライザー８は、結び玉６０の保持構造については第６実施形態及びその変形例１と同様であり、複数の昇降コード５を拡開させる方向に昇降コード５に荷重が加わった時に結び玉６０を離脱させる作用も同様である。一方、本変形例では、図３８に示すように、結び玉（係止部）６０は、昇降コード５の端部に設けられており、コードイコライザー８の下側には操作コード１０が接続されている。そして、昇降コード５の代わりに操作コード１０が、ボトムキャップ６には接続されている。
【００７９】
本変形例では、図３８（ａ）に示すように、複数の昇降コード５を拡開させる方向に昇降コード５に荷重Ｃが加わった時には、図３８（ｂ）に示すように、コードイコライザー８が昇降コード５から分離されて落下することによって安全が確保される。図３８（ｂ）に示す状態から操作可能な状態に復帰させるには、第６実施形態及び変形例１と同様の方法が採用可能である。
【００８０】
（その他の実施形態）
本発明は、以下の実施態様でも実施することができる。
・昇降コードの数は２本以上であればよく、３本以上であってもよい。
・コードイコライザーに接続され、上方から垂下されるコードは昇降コード以外のコード、例えばチルトコード等であってもよい。
・ヘッドボックスから垂下された操作コードを有しコードイコライザーを備えたプリーツスクリーンやローマンシェード等にも適用可能であり、ハンガーレールから垂下された操作コードを有しコードイコライザーを備えた縦型ブラインドにも適用可能である。
・コードイコライザーは日射遮蔽材の下限位置で停止できるよう、ヘッドボックスのコード導出部にその上面を当接させて下限を停止させるストッパとして用いてもよい。
・第１〜第２実施形態において、操作コード１０をコードイコライザー８に接続する代わりに、昇降コード５を延長して昇降コード５をボトムキャップ６に接続してもよい。
【符号の説明】
【００８１】
１：支持部材（ヘッドボックス、ヘッドレール）
２：ボトムレール（移動部材）
３：スラット（遮蔽材、移動部材）
４：ラダーコード
５、５ａ，５ｂ：昇降コード（引張コード）
６：ボトムキャップ（移動部材）
７：昇降コード導出部
８：コードイコライザー
９：テープホルダー
１０：操作コード
１１：中心部材
１３：第１通過孔
１４：第２通過孔
１５：内部空間
１６：第1抵抗付与部
１７：第２抵抗付与部
１８：固定軸
１９：弾性部
２０：凹凸面
２１：挿入孔
２２：可動挟着部
２３：固定挟着部
２４：支持部
２５：解除操作片
２６：チルトつまみ
２７：チルター開口部
２８：チルタードラム
２９：チルトドラム
３０：シャフト
３１：先頭ランナー
３２：ランナー
３３：移動框（移動部材）
３４：固定框
３５：ケース
３６：スリット
３７：固定支持部
３８：連通スリット
３９：回動孔
４０：解除バー
４１：余長
４２：重量調整部
４３：転回軸
４５，４６：係合部材
５０：イコライザー本体
５１：挿通溝
５３：カバー（板バネ）
５４：テーパ面
５５：下面
５７：接続部
５８：開閉端
６０：結び玉（突起物）
６２：内周当接部
６４：上面
６６：上部挿通部
６７：下部挿通部
６８：接続壁
６９：第１ケース
７０：第２ケース
７１：スライド部材
７２：コード保持部材
７３：コードガイド部
７４：操作コード挿通孔
７５：第１空間部
７６：第２空間部
７７：バネ（付勢手段）
７８：スライド軸（スライド部）
７９：バネ係止部
８０：第３空間部
８１：フランジ
８２：コード加重検知部
８３：フランジ係止部
８４：係合軸（ケース側係合部）
８５：円柱部
８６：アーム（コード保持部材側係合部）
８７：係止部
８８：凸部
８９：コード固定部
９１：傾斜係合部
９２：傾斜スライド部
９３：隔壁
９４：リブ
９６：保持部
【図１】
0005909587.tif 000002
【図２】
0005909587.tif 000003
【図３】
0005909587.tif 000004
【図４】
0005909587.tif 000005
【図５】
0005909587.tif 000006
【図６】
0005909587.tif 000007
【図７−１】
0005909587.tif 000008
【図７−２】
0005909587.tif 000009
【図７−３】
0005909587.tif 000010
【図７−４】
0005909587.tif 000011
【図８】
0005909587.tif 000012
【図９】
0005909587.tif 000013
【図１０】
0005909587.tif 000014
【図１１】
0005909587.tif 000015
【図１２】
0005909587.tif 000016
【図１３】
0005909587.tif 000017
【図１４】
0005909587.tif 000018
【図１５】
0005909587.tif 000019
【図１６】
0005909587.tif 000020
【図１７】
0005909587.tif 000021
【図１８】
0005909587.tif 000022
【図１９】
0005909587.tif 000023
【図２０】
0005909587.tif 000024
【図２１】
0005909587.tif 000025
【図２２】
0005909587.tif 000026
【図２３】
0005909587.tif 000027
【図２４】
0005909587.tif 000028
【図２５】
0005909587.tif 000029
【図２６】
0005909587.tif 000030
【図２７】
0005909587.tif 000031
【図２８】
0005909587.tif 000032
【図２９】
0005909587.tif 000033
【図３０】
0005909587.tif 000034
【図３１】
0005909587.tif 000035
【図３２】
0005909587.tif 000036
【図３３】
0005909587.tif 000037
【図３４】
0005909587.tif 000038
【図３５】
0005909587.tif 000039
【図３６】
0005909587.tif 000040
【図３７】
0005909587.tif 000041
【図３８】
0005909587.tif 000042
【図３９】
0005909587.tif 000043
【図４０】
0005909587.tif 000044
【図４１】
0005909587.tif 000045
【図４２】
0005909587.tif 000046
【図４３】
0005909587.tif 000047
【図４４】
0005909587.tif 000048
【図４５】
0005909587.tif 000049
【図４６】
0005909587.tif 000050
【図４７】
0005909587.tif 000051